(57)【要約】  【課題】  毛先が良好に広がり、被洗浄面への付着物を掻き落とす使用者の力を毛先に有効に伝えることができる堅牢な洗浄用ブラシを提供する。  【課題手段】  洗浄用ブラシ１は、合成樹脂製円柱状の芯材２と、その外周に断面円環状の毛材集合層４を形成する多数の毛材３と、これを芯材２の外周に結束するバンド部材５と、芯材２と毛材３の基端側を被覆するキャップ６とを具備する。毛材３は、ウェーブ加工された弾性合成樹脂製モノフィラメントからなり、基端を芯材２の基端２ａに整列させ、芯材２と一体に熱溶着され、先端側は芯材２の先端よりも長く延出する。芯材２が内在する基端側には、使用者がキャップ部材６の頂端６ｃを掌に当てて握ることができるハンドル部１ａが形成される。毛材３の先端側には、それの軸線方向の押圧力により被洗浄面の付着物を掻き落とすことが可能な降伏強度を有する洗浄部１ｂが形成される。【選択図】  図２
2020203009.tif 000002
【特許請求の範囲】
【請求項１】
基端とその反対の先端とを有する合成樹脂製で円柱状の芯材と、
基端を前記芯材の基端に整列させ当該芯材の外周に断面円環状の所定厚さの毛材集合層を形成するように配置され先端側が前記芯材の先端よりも長く延出する多数の毛材と、
前記毛材集合層を前記芯材の外周に結束するバンド部材と、
前記芯材と前記毛材集合層の基端側を所定長さにわたって被覆するキャップとを具備し、
前記毛材は、ウェーブ加工された弾性合成樹脂製モノフィラメントからなり、
前記毛材集合層は、基端部において前記芯材の基端部と一体化するように熱溶着され、
前記芯材が内在する基端側には、使用者が前記キャップ部材の基端を掌に当てて握ることができるハンドル部が形成され、
前記毛材の先端側には、それの軸線方向の押圧力により洗浄対象の表面の付着物を掻き落とすことが可能な降伏強度を有する洗浄部が形成されることを特徴とする洗浄用ブラシ。
【請求項２】
前記バンド部材は、前記芯材の先端から基端側へ所定距離を置いた位置において前記毛材を結束し、当該結束部から前記芯材の先端との間において前記毛材は、前記芯材の外周において個々にわずかに移動可能に構成されることを特徴とする請求項１に記載の洗浄用ブラシ。
【発明の詳細な説明】
【技術分野】
【０００１】
本発明は、例えば中華料理店の厨房等において調理器具に付着する汚れを迅速に掻き落として除去するための洗浄用ブラシに関する。
【背景技術】
【０００２】
従来、竹を所定長さに切断し、この竹の先端側を軸方向に細かく割ってブラシ部を形成した「ささら」と称されるブラシの強度を向上するために、合成樹脂製のブラシ繊維を多数束ねた基端部に把手部を固定したブラシが特許文献１に記載されている。
また、多数の合成樹脂のブラシ繊維の基端部の周囲を金属パイプでかしめることにより束ねたブラシが非特許文献１に記載されている。
【先行技術文献】
【特許文献】
【０００３】
【特許文献１】特開平１１−３２８３７号公報
【非特許文献１】有限会社塚本鑛吉商店ホームページ内Ｗｅｂカタログ掲載の商品名「スーパーササラ」http://www.k-tsukamoto.co.jp/htmls/s_yougu/images/burasi.pdf
【発明の概要】
【発明が解決しようとする課題】
【０００４】
上記従来のブラシは、何れも合成樹脂のブラシ繊維を多数束ねただけの構成であるため、被洗浄面に押し付けられたときに、毛先が広がりにくく、被洗浄面に対する実質的接触面積が十分に確保できず、効率的な洗浄ができないという問題点がある。また、毛先の広がりを確保するために、より細い毛材を採用するなどして柔軟性を持たせると、剛性に欠け、被洗浄面の付着物に対し、これを掻き落とす力が有効に伝わらないという難点がある。
したがって、本発明は、使用時に毛先が概略円環状に広がり易く、洗浄対象に対する比較的大きな実質的接触面積を確保できると共に、被洗浄面への付着物を掻き落とす使用者の力を毛先に有効に伝えることができる堅牢な洗浄用ブラシを提供することを課題としている。
【課題を解決するための手段】
【０００５】
上記課題を解決するための本発明の洗浄用ブラシ１は、合成樹脂製で円柱状の芯材２と、芯材２の外周に断面円環状の所定厚さの毛材集合層４を形成するように配置される多数の毛材３と、毛材３を芯材２の外周に結束するバンド部材５と、芯材２と毛材３の基端側を所定長さにわたって被覆するキャップ６とを具備する。毛材３は、ウェーブ加工された弾性合成樹脂製モノフィラメントからなり、基端を芯材２の基端２ａに整列させ、芯材２の基端部と一体化するように熱溶着され、先端側が芯材２の先端よりも長く延出する。芯材２が内在する基端側には、使用者がキャップ部材６の頂端６ｃを掌に当てて握ることができるハンドル部１ａが形成される。毛材３の先端側には、それの軸線方向の押圧力により被洗浄面の付着物を掻き落とすことが可能な降伏強度を有する洗浄部１ｂが形成される。
【発明の効果】
【０００６】
本発明の洗浄用ブラシ１によれば、多数の毛材３が芯材２の周りに環状の毛材集合層４を形成するように配置されるため、軸線方向の押圧力により被洗浄面の付着物を掻き落とすことが可能な比較的大きな降伏強度を有する毛材であっても、使用時に毛先が均等に概略円環状に拡散しやすく、被洗浄面に対する比較的大きな実質的接触面積を確保して効率的な洗浄ができるという効果を有する。
【図面の簡単な説明】
【０００７】
【図１】本発明の実施形態に係るブラシの概略的正面図である。
【図２】図１のブラシの概略的縦断面図である。
【図３】図１のＩＩＩ−ＩＩＩ断面図である。
【図４】図１のブラシの使用状態の説明図である。
【発明を実施するための形態】
【０００８】
図面を参照して本発明の実施の一形態を説明する。
図１ないし図３において、ブラシ１は、合成樹脂製で円柱状の芯材２と、芯材２の外周に断面円環状の所定厚さの毛材集合層４を形成するように配置される多数の毛材３と、毛材３を芯材２の外周に結束するバンド部材５と、芯材２と毛材３の基端側を所定長さにわたって被覆する合成樹脂製のキャップ部材６とを具備する。
【０００９】
毛材３は、ウェーブ加工された弾性合成樹脂製モノフィラメントからなり、基端を芯材２の基端２ａに整列させ、芯材２の基端部と一体化するように熱溶着７される。毛材３は、先端側が芯材２の先端よりも長く延出する。
【００１０】
キャップ部材６は、芯材２と毛材３の基端側を所定長さにわたって被覆し、基端が閉じた筒部６ａと、基端側に突出する係止突片６ｂとを具備し、２液型エポキシ樹脂接着剤で芯材２と毛材３に接着される。
【００１１】
芯材２が内在する基端側には、図４に示すように、使用者がキャップ部材６の頂端６ｃを掌に当てて握ることができるハンドル部１ａが形成される。
【００１２】
毛材３の先端側には、それの軸線方向の押圧力により被洗浄面の付着物を掻き落とすことが可能な降伏強度を有する洗浄部１ｂが形成される。
【００１３】
図示の実施形態において、芯材２は、ナイロンまたはポリアセタール樹脂製で、直径２５ｍｍ、長さ８０ｍｍの円柱状である。毛材３は直径が１．２ｍｍのナイロン又はＰＢＴ樹脂製の波付モノフィラメントからなる。毛材３の長さは約２５０ｍｍ〜２３０ｍｍで、先端側において全体が斜めカットされている。
【００１４】
図２に示すように、２つのバンド部材５のうち、先端側のものは、芯材２の先端２ｂから基端側へ約２５ｍｍの位置で毛材３を芯材２の周りに結束している。したがって、毛材３は、バンド部材５による拘束を受けて、芯材２の外周に沿う円環状の集合位置を保ちながらも、芯材２の先端側約２５ｍｍの可動範囲Ａで、個々にわずかに移動することで、先端が被洗浄面に押し付けられたとき、全体として被洗浄面に対して概略円環状に適当な広がりを持つことができる。
【００１５】
毛材３は、適当な剛性と弾性を得るため、直径が１ｍｍ以上、２ｍｍ以下が好適で、１．２ｍｍが最適である。
【００１６】
芯材２が内在するハンドル部１ａの長さは、キャップの頂端６ｃから８０ｍｍ以上、直径は、３０ｍｍ以上、５０ｍｍ以下、芯材２の外周に形成される毛材集合層４の厚さは５ｍｍ以上１２ｍｍ以下が好適である。
【符号の説明】
【００１７】
１    ブラシ
１ａ  ハンドル部
１ｂ  洗浄部
２    芯材
２ａ  基端
２ｂ  先端
３    毛材
４    毛材集合層
５    バンド部材
６    キャップ
６ａ  筒部
６ｂ  係止突片
６ｃ  頂端
Ａ    可動部
【図１】
2020203009.tif 000003
【図２】
2020203009.tif 000004
【図３】
2020203009.tif 000005
【図４】
2020203009.tif 000006